(57)【要約】【課題】画面切り替えを効率良く実行することが出来るクライアント端末操作システムおよびクライアント端末操作方法を提供する。【解決手段】クライアント端末操作システムは、少なくともサーバ装置に接続される第１及び第２クライアント端末本体と、第１及び第２のクライアント端末本体に接続される第１及び第２切替スイッチと、第１切替スイッチに接続される第１入出力部と、第２切替スイッチに接続される第２入出力部と、を備える。そして、第１切替スイッチにより第１入出力部を第１クライアント端末本体に接続して診察後の患者のカルテ入力作業中に、第２切替スイッチにより第２入出力部を第２クライアント端末本体に接続して次の患者カルテをサーバ装置から読み出す。【選択図】  図３
2012003466.tif 000002
【特許請求の範囲】
【請求項１】
医療情報を格納するサーバ装置に接続される少なくとも第１及び第２クライアント端末本体と、
前記第１及び第２のクライアント端末本体に接続される少なくとも第１及び第２切替スイッチと、
前記第１切替スイッチに接続される第１入出力部と、
前記第２切替スイッチに接続される第２入出力部と、
を備え、
前記第１切替スイッチにより前記第１入出力部を前記第１クライアント端末本体に接続して診察後の患者のカルテ入力作業中に、前記第２切替スイッチにより前記第２入出力部を前記第２クライアント端末本体に接続して次の患者カルテを前記サーバ装置から読み出すことを特徴とするクライアント端末操作システム。
【請求項２】
前記カルテ入力後に、前記第１切替スイッチにより前記第１入出力部を前記第２クライアント端末本体に接続して読み出した前記次の患者カルテを前記第１入出力部から出力し、前記次の患者カルテを読み出し後、前記第２切替スイッチにより前記第２入出力部を前記第１クライアント端末本体に接続して前記診察後の患者カルテの終了作業を行うことを特徴とする請求項１に記載のクライアント端末操作システム。
【請求項３】
前記第１切替スイッチにより前記第１入出力部を前記第１クライアント端末本体又は前記第２クライアント端末本体に接続し、前記第２切替スイッチにより前記第２入出力部を前記第１クライアント端末本体又は前記第２クライアント端末本体に接続して、同じ患者の電子カルテを共有することを特徴とする請求項１又は請求項２に記載のクライアント端末操作システム。
【請求項４】
医療情報を格納するサーバ装置に接続される少なくとも第１及び第２クライアント端末本体と、
前記第１及び第２のクライアント端末本体に接続される１つの切替スイッチと、
前記切替スイッチに接続される第１入出力部、および第２入出力部と、
を備え、
前記切替スイッチにより前記第１入出力部を前記第１クライアント端末本体に接続して診察後の患者のカルテ入力作業中に、前記切替スイッチにより前記第２入出力部を前記第２クライアント端末本体に接続して次の患者カルテを前記サーバ装置から読み出すことを特徴とするクライアント端末操作システム。
【請求項５】
医療情報を格納するサーバ装置に接続される少なくとも第１及び第２クライアント端末本体と、
前記第１及び第２のクライアント端末本体に接続される少なくとも第１及び第２切替スイッチと、
前記第１切替スイッチに接続される第１入出力部と、
前記第２切替スイッチに接続される第２入出力部と、
を備えたクライアント端末操作システムの端末操作方法であって、
前記カルテ入力後に、前記第１切替スイッチにより前記第１入出力部を前記第２クライアント端末本体に接続して読み出した前記次の患者カルテを前記第１入出力部から出力し、前記次の患者カルテを読み出し後、前記第２切替スイッチにより前記第２入出力部を前記第１クライアント端末本体に接続して前記診察後の患者カルテの終了作業を行うことを特徴とするクライアント端末操作方法。
【請求項６】
前記第１切替スイッチにより前記第１入出力部を前記第１クライアント端末本体又は前記第２クライアント端末本体に接続し、前記第２切替スイッチにより前記第２入出力部を前記第１クライアント端末本体又は前記第２クライアント端末本体に接続して、同じ患者の電子カルテを共有することを特徴とする請求項５に記載のクライアント端末操作方法。
【請求項７】
医療情報を格納するサーバ装置に接続される少なくとも第１及び第２クライアント端末本体と、
前記第１及び第２のクライアント端末本体に接続される１つの切替スイッチと、
前記切替スイッチに接続される第１入出力部、および第２入出力部と、
を備えたクライアント端末操作システムの端末操作方法であって、
前記切替スイッチにより前記第１入出力部を前記第１クライアント端末本体に接続して診察後の患者のカルテ入力作業中に、前記切替スイッチにより前記第２入出力部を前記第２クライアント端末本体に接続して次に患者カルテを前記サーバ装置から読み出すことを特徴する端末操作方法。
【発明の詳細な説明】
【技術分野】
【０００１】
本発明は、クライアント端末操作システム、クライアント端末操作方法に関する。
【背景技術】
【０００２】
ＬＡＮやインターネット等を介してサーバ装置に接続されるクライアントシステムでは、それぞれの自端末の画面に希望する内容を表示させながら、所望の作業が行われている。したがって、一般的なクライアント端末は、それぞれが独立して動作する構成が取られている。ところが、複数の従事者が協力して作業する業種では、互いのクライアント端末に同じ業務内容を表示させながら作業を行うものがある。
【０００３】
例えば、医療情報システムでは医師と、看護師などによる医師の代行業務を行うメディカルクラーク（まとめて、単にクラークと称する）とは、同じ患者の電子カルテを夫々のクライアント端末に表示させて、医師の診断に応じた治療などクラークがサポートすることが行われている。
【０００４】
このようなクライアント端末を備えた医療情報システムでは、例えば、１つのクライアント端末本体を複数の表示画面で共有する場合は、図５に示す作業内容であった。図５において、上段はＩＤで表示した患者および患者の動作を示す。また、中段は医師のクライアント端末の接続状態と患者ＩＤを表記し、併せて医師の作業動作を示す。また、下段はクラークのクライアント端末の接続状態と患者ＩＤを表記、併せてクラークの作業動作を示している。
【０００５】
例えば、患者ＩＤ「１」の患者動作を見ると、先ず診療室への呼び込みアナウンスを聞き、次に診療室へ入室し、医師の診察を受ける。その後、医師から診察結果や治療に関する説明を聞き、退室する。他の患者ＩＤ「２」，患者ＩＤ「３」の患者も同様の動作である。ここでは、患者の一般的な受診動作を表現するものであり、診察や治療の時間長は問うものではない。
【０００６】
一方、クラークは、患者ＩＤ「１」の「呼込」時に、自分のクライアント端末から患者ＩＤ「１」の電子カルテを図示しないサーバ装置から検索・選択して読み出す。そして、その患者ＩＤ「１」の電子カルテを自画面に表示されたことを確認して、医師に連絡する。これにより、患者の「呼込」時は、医師およびクラークの両クライアント端末の表示画面は「Ａ１」となる。この「Ａ１」の意味は、クライアント端末本体側に接続され、患者ＩＤ「１」のデータを取り扱っていることを意味する。「呼込」時には、医師の作業は特にないため、記号「−」で示している。
【０００７】
医師は、患者ＩＤ「１」の患者が「入室」してくると、自画面に表示されている当該患者の電子カルテを参照し、更に問診・触診・検査結果の状況などから患者を診察する。医師は、診察結果に基づいて治療に必要な薬のオーダを作成して、クラークに連絡する。その後、電子カルテに診察内容や治療内容を記載し、治療を継続する人であれば次回受診日の予約を受け付ける。したがって、医師の作業は「−」→「参照」→「診察」→「オーダ」→「カルテ」→「予約」→「−」の順に作業が進められる。
【０００８】
クラークは、患者ＩＤ「１」の電子カルテを読み出し、同患者の「入室」後、診察中の医師のサポートを行ない、診察中に出されたオーダを処理する。また、治療に必要な薬のオーダを受けてそれを処理する。そして、次回受診日の予約を受け付けると、患者ＩＤ「１」の全ての作業を終了させる。したがって、クラークの作業は「選択」→「−」→「オーダ」→「オーダ」→「−」→「−」→「終了」の順に作業が進められる。次の患者ＩＤ「２」の人も同様に診察されるが、この場合、医師およびクラークの両クライアント端末の表示画面は「Ａ２」となる。この「Ａ２」の意味は、クライアント端末本体に接続され、患者ＩＤ「２」のデータを取り扱っていることを意味する。
【０００９】
このように、従来の方法では、１つのクライアント端末本体を複数の表示画面で共有するもであった。このため、医師又はクラークのいずれか一方が何も作業しない時間帯が多く発生することになり、効率的は作業内容ではなかった。なお、クライアント端末本体を複数の表示画面で共有するものとしては特許文献１があった。
【先行技術文献】
【特許文献】
【００１０】
【特許文献１】特開２００３−１６２３５４号公報
【発明の概要】
【発明が解決しようとする課題】
【００１１】
本発明は、上記実情に鑑みてなされたもので、画面切り替えを効率良く実行して作業性の良いクライアント端末操作システムおよびクライアント端末操作方法を提供することを目的とする。
【課題を解決するための手段】
【００１２】
上記目的を達成するために、一実施形態に係るクライアント端末操作システムは、医療情報を格納するサーバ装置に接続される少なくとも第１及び第２クライアント端末本体と、前記第１及び第２のクライアント端末本体に接続される少なくとも第１及び第２切替スイッチと、前記第１切替スイッチに接続される第１入出力部と、前記第２切替スイッチに接続される第２入出力部と、を備え、前記第１切替スイッチにより前記第１入出力部を前記第１クライアント端末本体に接続して診察後の患者のカルテ入力作業中に、前記第２切替スイッチにより前記第２入出力部を前記第２クライアント端末本体に接続して次の患者カルテを前記サーバ装置から読み出すことを特徴とする。
【００１３】
また、一実施形態に係るクライアント端末操作方法は、医療情報を格納するサーバ装置に接続される少なくとも第１及び第２クライアント端末本体と、前記第１及び第２のクライアント端末本体に接続される少なくとも第１及び第２切替スイッチと、前記第１切替スイッチに接続される第１入出力部と、前記第２切替スイッチに接続される第２入出力部と、を備えたクライアント端末操作システムの端末操作方法であって、前記カルテ入力後に、前記第１切替スイッチにより前記第１入出力部を前記第２クライアント端末本体に接続して読み出した前記次の患者カルテを前記第１入出力部から出力し、前記次の患者カルテを読み出し後、前記第２切替スイッチにより前記第２入出力部を前記第１クライアント端末本体に接続して前記診察後の患者カルテの終了作業を行うことを特徴とする。
【発明の効果】
【００１４】
本発明によれば、複数の作業従事者が協力して作業を行う場合に、画面切り替えを効率良く実行して作業性を向上させることができる。
【図面の簡単な説明】
【００１５】
【図１】第１の実施形態に係るクライアント端末操作システムの構成を示すブロック図。
【図２】第１の実施形態に係るクライアント端末操作システムの画面切り替え動作を示す図である。
【図３】第１の実施形態に係るクライアント端末操作システムの作業効率を示す図。
【図４】第２の実施形態に係るクライアント端末操作システムの構成を示すブロック図。
【図５】従来の画面切り替えによる作業を示す図。
【発明を実施するための形態】
【００１６】
以下、図面を参照しながら本発明の実施形態を説明する。
【００１７】
（第１の実施形態）
図１は、第１の実施形態に係るクライアント端末操作システムの構成を示すブロック図である。ここでは、医療情報システムの例として説明するが、サーバ／クライアントシステムであれば、いずれの用途にも適用できるものである。
【００１８】
図１において、ローカルエリアネットワークＬＡＮには、サーバ装置１０、クライアント端末の本体（Ａ）２０、クライアント端末の本体（Ｂ）３０が接続されている。サーバ装置１０は、内蔵する複数のファイル装置（ＨＤＤ）に各種のデータベースＤＢが格納されている。ここでは、ＬＡＮ接続としたが、他のネットワーク接続であっても良い。
【００１９】
クライアント端末の本体（Ａ）２０、およびクライアント端末の本体（Ｂ）３０は、表示パネル、キーボード、マウスの入出力部が除かれたコンピュータ本体部である。そして、クライアント端末の本体（Ａ）２０は、切替スイッチ（Ａ）４０および切替スイッチ（Ｂ）５０に接続されている。クライアント端末の本体（Ｂ）３０もまた、切替スイッチ（Ａ）４０および切替スイッチ（Ｂ）５０に接続されている。
【００２０】
切替スイッチ（Ａ）４０には、表示パネル（Ａ）６０ａ、キーボード（Ａ）７０ａ、マウス（Ａ）８０ａが接続されている。また、切替スイッチ（Ｂ）５０には、表示パネル（Ｂ）６０ｂ、キーボード（Ｂ）７０ｂ、マウス（Ｂ）８０ｂが接続されている。表示パネル（Ａ）６０ａ、（Ｂ）６０ｂは、液晶ディスプレイ等で構成される表示デバイスであり、タッチパネル機能を持つものであっても良い。
【００２１】
切替スイッチ（Ａ）４０は、表示パネル（Ａ）６０ａ、キーボード（Ａ）７０ａ、マウス（Ａ）８０ａをクライアント端末の本体（Ａ）２０に接続し、またクライアント端末の本体（Ｂ）３０にも接続するスイッチである。よって、表示パネル（Ａ）６０ａは、クライアント端末の本体（Ａ）２０と接続されている場合はクライアント端末の本体（Ａ）２０からの情報が表示され、キーボード（Ａ）７０ａ又はマウス（Ａ）８０ａからその入力操作が行われる。また、表示パネル（Ａ）６０ａは、クライアント端末の本体（Ｂ）３０に接続されている場合はクライアント端末の本体（Ｂ）３０からの情報が表示され、キーボード（Ａ）７０ａ又はマウス（Ａ）８０ａからその入力操作が行われる。
【００２２】
切替スイッチ（Ｂ）５０は、表示パネル（Ｂ）６０ｂ、キーボード（Ｂ）７０ｂ、マウス（Ｂ）８０ｂをクライアント端末の本体（Ｂ）３０に接続し、またクライアント端末の本体（Ａ）２０にも接続するスイッチである。よって、表示パネル（Ｂ）６０ｂは、クライアント端末の本体（Ｂ）３０に接続されている場合はクライアント端末の本体（Ｂ）３０からの情報が表示され、キーボード（Ｂ）７０ｂ又はマウス（Ｂ）８０ｂからその入力操作が行われる。また、表示パネル（Ｂ）６０ｂは、クライアント端末の本体（Ａ）２０に接続されている場合はクライアント端末の本体（Ａ）２０からの情報が表示され、キーボード（Ｂ）７０ｂ又はマウス（Ｂ）８０ｂからその入力操作が行われる。
【００２３】
切替スイッチ（Ａ）４０の切り替え動作は、キーボード（Ａ）７０ａの特定キーからの入力、又は割り当てられた複数のキーの同時入力、又は表示パネル（Ａ）６０ａに表示される切り替えボタンをマウス（Ａ）８０ａによるクリック入力、又は表示パネル（Ａ）６０ａのタッチパネル入力等に基づいて、切替スイッチ（Ａ）４０に内蔵するコントローラ（図示せず）によって実行される。
【００２４】
同様に、切替スイッチ（Ｂ）５０の切り替え動作は、キーボード（Ｂ）７０ｂの特定キーからの入力、又は割り当てられた複数のキーの同時入力、又は表示パネル（Ｂ）６０ｂに表示される切り替えボタンをマウス（Ｂ）８０ｂによるクリック入力、又は表示パネル（Ｂ）６０ｂのタッチパネル入力等に基づいて、切替スイッチ（Ｂ）５０に内蔵するコントローラ（図示せず）によって実行される。
【００２５】
図２は、実施形態のクライアント端末操作システムにおける切替スイッチ（Ａ）４０，（Ｂ）５０による接続形態を示す図である。ここでは、クライアント端末の本体（Ａ）２０および又はクライアント端末の本体（Ｂ）３０との接続を入出力部の表示パネル（Ａ）６０ａ，（Ｂ）６０ｂを代表して表現し、キーボードおよびマウスの表現は省略する。
【００２６】
接続形態（ａ）は、クライアント端末の本体（Ａ）２０と表示パネル（Ａ）６０ａが接続され、クライアント端末の本体（Ｂ）３０と表示パネル（Ｂ）６０ｂが接続された形態である。したがって、表示パネル（Ａ）６０ａと表示パネル（Ｂ）６０ｂには、それぞれのクライアント端末の本体からの異なる情報が表示される。
【００２７】
接続形態（ｂ）は、クライアント端末の本体（Ａ）２０と表示パネル（Ｂ）６０ｂが接続され、クライアント端末の本体（Ｂ）３０と表示パネル（Ａ）６０ａが接続された形態である。したがって、表示パネル（Ａ）６０ａと表示パネル（Ｂ）６０ｂには、それぞれのクライアント端末の本体からの異なる情報が表示される。
【００２８】
接続形態（ｃ）は、クライアント端末の本体（Ａ）２０と表示パネル（Ａ）６０ａが接続され、クライアント端末の本体（Ａ）２０と表示パネル（Ｂ）６０ｂが接続された形態である。したがって、表示パネル（Ａ）６０ａと表示パネル（Ｂ）６０ｂには、クライアント端末の本体（Ａ）２０からの同じ情報が表示される。
【００２９】
接続形態（ｄ）は、クライアント端末の本体（Ｂ）３０と表示パネル（Ａ）６０ａが接続され、クライアント端末の本体（Ｂ）３０と表示パネル（Ｂ）６０ｂが接続された形態である。したがって、表示パネル（Ａ）６０ａと表示パネル（Ｂ）６０ｂには、クライアント端末の本体（Ｂ）３０からの同じ情報が表示される。
【００３０】
このような構成をとることにより、以下の環境が構築できる。
【００３１】
（１）メイン操作者の表示画面をサブ操作者にも表示可能とする。
【００３２】
（２）メイン操作者とサブ操作者が、それぞれの与えられたキーボードを切り替えることにより、起動中の同一アプリケーションを互いに操作可能する。
【００３３】
（３）メイン操作者とサブ操作者が、それぞれの与えられたマウスを切り替えることにより、起動中の同一アプリケーションを互いに操作可能する。
【００３４】
（４）メイン操作者とサブ操作者が、同じ室内で離れた位置に着座した状態で（１）乃至（３）が可能となる。
【００３５】
次に、図３を参照して、本実施形態を医療情報システムに適用した場合の医師（メイン操作者）とクラーク（サブ操作者）の作業内容について説明する。ここでは、表示パネル（Ａ）６０ａは医師が見る画面であるとし、表示パネル（Ｂ）６０ｂはクラークが見る画面であるとするが、その逆であっても良い。そして、サーバ装置１０には医療情報システムに用いられる各種のデータベースＤＢが構築されている。データベースＤＢには、患者情報ＤＢ、患者の電子カルテＤＢ、薬剤データＤＢ、医事会計ＤＢ等がある。
【００３６】
図３において、上段はＩＤで表示した患者および患者の動作を示す。また、中段は医師（Ｄｒ）のクライアント端末の接続状態と患者ＩＤを表記し、併せて医師の作業動作を示す。また、下段はクラークのクライアント端末の接続状態と患者ＩＤを表記、併せてクラークの作業動作を示している。
【００３７】
図４と同様に、患者ＩＤ「１」の患者動作を見ると、先ず診療室への呼び込みアナウンスを聞き、次に診療室へ入室し、医師の診察を受ける。その後、意志から診察結果や治療に関する説明を聞き、退室する。他の患者ＩＤ「２」，患者ＩＤ「３」の患者も同様の動作である。ここでも、患者の一般的な受診動作を表現するものであり、診察や治療の時間長は問うものではない。
【００３８】
そして、患者ＩＤ「１」の「呼込」にあっては、医師の表示パネル（Ａ）６０ａおよびクラークの表示パネル（Ｂ）６０ｂは、接続形態（ｃ）の状態でクライアント端末の本体（Ａ）２０に接続されている。
【００３９】
クラークは、キーボード（Ｂ）７０ｂ又はマウス（Ｂ）８０ｂを用いて表示パネル（Ｂ）６０ｂから画面入力操作を行って、クライアント端末の本体（Ａ）２０を介して患者ＩＤ「１」の電子カルテをサーバ装置１０から検索して読み出す。読み出した電子カルテは、クライアント端末の本体（Ａ）２０に内蔵するメモリ（ＲＡＭ又はＨＤＤ）に格納されると共に、表示パネル（Ｂ）６０ｂに表示される。これにより、接続形態（ｃ）では、医師の表示パネル（Ａ）６０ａにも患者ＩＤ「１」の電子カルテが同時に表示されることになる。
【００４０】
したがって、患者の「呼込」時は、医師の表示パネル（Ａ）６０ａおよびクラークの表示パネル（Ｂ）６０ｂの画面は「Ａ１」となる。この「Ａ１」の意味は、クライアント端末の本体（Ａ）２０に接続され、患者ＩＤ「１」のデータ（ここでは、電子カルテ）を取り扱っていることを意味する。患者の「呼込」時は、医師の作業は特にないため、記号「−」で示している。
【００４１】
医師は、患者ＩＤ「１」が「入室」してくると、表示パネル（Ａ）６０ａに表示されている同患者の電子カルテを参照し、更に問診・触診・検査結果の状況などから患者を診察する。医師は、診察結果に基づいて治療に必要な薬のオーダを作成して、クラークに渡す。その後、電子カルテに診察内容や治療内容を記載し、治療を継続する人であれば次回受診日の予約を受け付ける。したがって、医師の作業は、「−」→「参照」→「診察」→「オーダ」の順に作業が進められる。なお、二人目以降の医師の作業は、「カルテ」→「参照」→「診察」→「オーダ」の順に作業が進められる。
【００４２】
クラークは、患者ＩＤ「１」の「入室」後、診察中の医師の医療サポート（先生の補助／アシスタント作業／お手伝い／検査等）を行ない、診察中に出されたオーダを処理する。また、治療に必要な薬のオーダを受けてそれを処理する。したがって、クラークの作業は「選択」→「−」→「オーダ」→「オーダ」の順に進められる。なお、二人目以降のクラークの作業は「選択」→「終了」→「オーダ」→「オーダ」の順に進められる。
【００４３】
そして、患者ＩＤ「２」の「呼込」にあっては、クラークの表示パネル（Ｂ）６０ｂは、接続形態（ａ）の状態でクライアント端末の本体（Ｂ）３０に接続する。クラークは、キーボード（Ｂ）７０ｂ又はマウス（Ｂ）８０ｂを用いて表示パネル（Ｂ）６０ｂから画面入力操作を行って、クライアント端末の本体（Ｂ）３０を介して患者ＩＤ「２」の電子カルテをサーバ装置１０から検索して読み出す。読み出した電子カルテは、クライアント端末の本体（Ｂ）３０に内蔵するメモリ（ＲＡＭ又はＨＤＤ）に格納されると共に、表示パネル（Ｂ）６０ｂに表示される。
【００４４】
一方、患者ＩＤ「２」の「呼込」にあっては、医師の表示パネル（Ａ）６０ａはクライアント端末の本体（Ａ）２０に接続される状態を維持し、表示パネル（Ａ）６０ａに表示されている患者ＩＤ「１」の電子カルテの更新作業「カルテ」を行う。即ち、医師はキーボード（Ａ）７０ａやマウス（Ａ）８０ａを用いて、診察結果や、患者に出した投薬や、患者に施した治療内容等を入力し、電子カルテに書き込む。更新された電子カルテは、クライアント端末の本体（Ａ）２０の内蔵メモリに一時記憶される。そして、その電子カルテは、所定のタイミングでクライアント端末の本体（Ａ）２０からサーバ装置１０に格納される。
【００４５】
したがって、二人目以降の患者の「呼込」にあっては、医師およびクラークともに、それぞれの表示パネルを用いて互いの業務を並行して実行することができるようになる。その結果、著しく業務効率を改善することができる。
【００４６】
医師は、患者ＩＤ「１」の電子カルテの更新作業後、直ちに表示パネル（Ａ）６０ａを接続形態（ｄ）の状態に切り替える。その結果、表示パネル（Ａ）６０ａとクライアント端末の本体（Ｂ）３０が接続され、クラークが先に読み出した患者ＩＤ「２」の電子カルテが直ちに表示されることになる。したがって、患者ＩＤ「２」が「入室」した際には、表示パネル（Ａ）６０ａに表示される同患者の電子カルテを参照して、直ちに診察を行うことができる。
【００４７】
また、クラークは患者ＩＤ「２」が「入室」した際には、接続状態（ｂ）の状態に切り替えて表示パネル（Ｂ）６０ｂをクライアント端末の本体（Ａ）２０に接続し、患者ＩＤ「１」の後処理を行い、処理を終了する。患者ＩＤ［１」の処理を終了すると、接続状態（ｄ）の状態に切り替えて表示パネル（Ｂ）６０ｂをクライアント端末の本体（Ｂ）３０に接続し、医師の医療サポート業務を以降、図３に示す作業が行われる。
【００４８】
そして、患者ＩＤ「３」の「呼込」のタイミングで、クラークの表示パネル（Ｂ）６０ｂを接続形態（ｂ）の状態に切り替え、クライアント端末の本体（Ａ）２０に接続する。クラークは、キーボード（Ｂ）７０ｂ又はマウス（Ｂ）８０ｂを用いて表示パネル（Ｂ）６０ｂから画面入力操作を行って、クライアント端末の本体（Ａ）２０を介して患者ＩＤ「３」の電子カルテをサーバ装置１０から検索して読み出す。読み出した電子カルテは、クライアント端末の本体（Ａ）２０に内蔵するメモリ（ＲＡＭ又はＨＤＤ）に格納されると共に、表示パネル（Ｂ）６０ｂに表示される。患者ＩＤ「３」の「呼込」にあっては、医師の表示パネル（Ａ）６０ａはクライアント端末の本体（Ｂ）３０に接続される状態を維持し、表示パネル（Ａ）６０ａに表示されている患者ＩＤ「２」の電子カルテの更新作業「カルテ」を行う。
【００４９】
同様にして、医師は、患者ＩＤ「３」の電子カルテの更新作業後、直ちに表示パネル（Ａ）６０ａを接続形態（ａ）の状態に切り替える。その結果、表示パネル（Ａ）６０ａとクライアント端末の本体（Ａ）２０が接続され、クラークが先に読み出した患者ＩＤ「３」の電子カルテが直ちに表示されることになる。また、クラークは患者ＩＤ「３」が「入室」した際には、接続状態（ａ）の状態に切り替えて表示パネル（Ｂ）６０ｂをクライアント端末の本体（Ｂ）３０に接続し、患者ＩＤ「２」の後処理を行い、処理を終了する。
【００５０】
このように、本実施形態によれば、患者を診察してオーダを出す作業（患者の「受診」「退室」のタイミング）にあっては、医師およびクラークとも共通のデータ（同じ患者の電子カルテ）を参照して作業を進めるが、それ以外は互いの業務を並行して実行できるようになっている。したがって、作業従事者の業務効率を著しく改善することができる。
【００５１】
（第２の実施形態）
図４は、第２の実施形態を示す図である。この第２の実施形態と第１の実施形態の違いは、クライアント端末本体（Ｃ）が加わり、３台のクライアント端末本体とした。また、切替スイッチを１つのスイッチ４０とした。更に、マウス８０ａはキーボード７０ａから分岐接続できるようにし、マウス８０ｂはキーボード７０ｂから分岐接続できるようにしている。そして、切替スイッチ４０は、たとえば、第１の入出力部と第１のクライアント端末本体（Ａ）２０とを接続中に、第２の入出力部と第１のクライアント端末本体（Ａ）２０、又は第２のクライアント端末本体（Ｂ）３０、又は第３のクライアント端末本体（Ｃ）９０とを接続することができる。
【００５２】
この場合、第１および第２の入出力部から、例えば[Ctrl]＋[1]のキー入力コマンドにより第１のクライアント端末本体（Ａ）２０に接続するように構成されている。また、[Ctrl]＋[2]のキー入力コマンドにより第２のクライアント端末本体（Ｂ）３０に接続するように構成されている。[Ctrl]＋[3]のキー入力コマンドにより第３のクライアント端末本体（Ｃ）９０に接続するように構成されている。
【００５３】
第２の実施形態の動作は、基本的には図３に示すものと変わりがないが、例えば、表示パネル（Ａ）６０ａをクライアント端末の本体（Ａ）２０に接続した状態で、患者ＩＤ「ｎ」（ｎは、２以上の整数）が「入室」した際には、表示パネル（Ｂ）６０ｂをクライアント端末本体（Ｂ）３０又はクライアント端末本体（Ｂ）９０に接続して次の患者ＩＤ「ｎ＋１」の患者カルテを読み出した後、患者ＩＤ「ｎ−１」の後処理を行い、処理を終了することになる。
【００５４】
なお、本発明は上記実施形態に限定されるものではなく、発明の要旨を逸脱しない範囲において設計変更可能であり、また各実施形態を組み合わせてもよい。例えば、３台以上のクライアント端末の本体にして、３台以上の入出力部としてもよい。また、切替スイッチは、ＨＷ制御であってもソフトウェア制御であってもよい。
【符号の説明】
【００５５】
１０‥サーバ装置
２０‥クライアント端末の本体（Ａ）
３０‥クライアント端末の本体（Ｂ）
４０‥切替スイッチ（Ａ）
５０‥切替スイッチ（Ｂ）
６０ａ‥表示パネル（Ａ）
６０ｂ‥表示パネル（Ｂ）
７０ａ‥キーボード（Ａ）
７０ｂ‥キーボード（Ｂ）
８０ａ‥マウス（Ａ）
８０ｂ‥マウス（Ｂ）
９０‥クライアント端末の本体（Ｃ）
【図１】
2012003466.tif 000003
【図２】
2012003466.tif 000004
【図３】
2012003466.tif 000005
【図４】
2012003466.tif 000006
【図５】
2012003466.tif 000007